(57)【要約】【課題】収納タイプの箸の取り扱い性、携帯性を優れたものにし、併せて更なる小型化を図ること。【解決手段】食品をつかむ箸先部分１２と手にて握られる箸元部分１４とを連続して有し、互い係脱可能に係合して箸本体１０同士を分離可能に結合する係合部１６、１８を備えた一対の箸本体１０と、結合状態の一対の箸本体１０の箸先部分１２を抜き差し可能に収納する一つの箸収納部３４を備えたキャップ部材３０とを有する。【選択図】図６
2013009739.tif 000002
【特許請求の範囲】
【請求項１】
食品をつかむ箸先部分と手にて握られる箸元部分とを連続して有し、互い係脱可能に係合して箸本体同士を分離可能に結合する係合部を備えた一対の箸本体と、
結合状態の前記一対の箸本体の前記箸先部分を抜き差し可能に一括収納する一つの箸収納部を備えたキャップ部材と、
を有する箸。
【請求項２】
前記前記一対の箸本体は、少なくとも箸元部分は、結合状態で互いに接合する面が平面になっており、当該平面部分に前記係合部が形成されている請求項１に記載の箸。
【請求項３】
前記キャップ部材は前記箸本体を前記箸収納部に抜き差しする出入口とは当該キャップ部材の長手方向で見て反対の端部に、前記箸収納部に連通する水抜き用開口が形成されている請求項１または２に記載の箸。
【請求項４】
前記一対の箸本体が前記キャップ部材に収納される部分には、前記結合状態で当該一対の箸本体の外周を取り囲んで連続する環状をなす突条部あるいは凹溝部が形成され、前記キャップ部材の前記箸収納部には前記箸本体の前記突条部あるいは前記凹溝部が係脱可能に嵌合する凹溝部あるいは突条部が形成されている請求項１から３の何れか一項に記載の箸。
【発明の詳細な説明】
【技術分野】
【０００１】
本発明は、箸に関し、特に、携帯性に優れた収納タイプの箸に関する。
【背景技術】
【０００２】
マイ箸と云われるような携帯性に優れた収納タイプの箸の従来技術として、一対の箸本体と、キャップ部材とからなり、キャップ部材に形成された２個の孔に箸本体を個別に抜き差し可能に収納する構造のものが知られている（例えば、特許文献１）。
【先行技術文献】
【特許文献】
【０００３】
【特許文献１】特開２００８−５５０８４号公報
【発明の概要】
【発明が解決しようとする課題】
【０００４】
しかしながら、上述した従来技術の箸は、使用時には、対をなす箸本体を、一本一本、個別にキャップ部材の孔より抜き出さなくてはならず、収納時には、対をなす箸本体を、一本一本、個別にキャップ部材の孔に差し込まなくてはならず、取り出し、収納に面倒な操作を要した。
【０００５】
しかも、キャップ部材に形成された２個の孔に、対をなす箸本体を個別に収納するため、収納状態で２本の箸本体間に隙間ができ、その分、小型化が阻まれる。また、収納状態で、２本の箸本体が互いに間隔をおいてキャップ部材より二股状に突出した形態をなすため、キャップ部材より出ている箸本体が嵩張り、しかも、携帯時に２本の箸本体間の隙間に物が引っかかる虞がある等、携帯性が悪いものてあった。
【０００６】
本発明が解決しようとする課題は、収納タイプの箸の取り扱い性、携帯性を優れたものにし、併せて更なる小型化を図ることである。
【課題を解決するための手段】
【０００７】
本発明による箸は、食品をつかむ箸先部分（１２）と手にて握られる箸元部分（１４）とを連続して有し、互い係脱可能に係合して箸本体（１０）同士を分離可能に結合する係合部（１６、１８）を備えた一対の箸本体（１０）と、結合状態の前記一対の箸本体（１０）の前記箸先部分（１２）を抜き差し可能に一括収納する一つの箸収納部（３４）を備えたキャップ部材（３０）とを有する。
【０００８】
この構成によれば、一対の箸本体（１０）は、係合部（１６、１８）が互いに係合した結合状態で一つの棒状体として一括してキャップ部材（３０）の一つの箸収納部（３４）に抜き差しされるから、箸本体を、一本一本、箸収納部に抜き差しする従来のものより、取り出し、収納の操作が面倒なものでなくなり、取り扱い性がよくなる。また、一対の箸本体（１０）を結合状態で一つの箸収納部（３４）に一括収納するから、従来のものよりキャップ部材（３０）を小型化できる。
【０００９】
本発明による箸は、好ましくは、前記一対の箸本体（１０）は、少なくとも箸元部分（１４）は、結合状態で互いに接合する面が平面になっており、当該平面部分（１２Ｂ、１４Ｂ）に前記係合部（１６、１８）が形成されている。
【００１０】
この構成によれば、対をなす箸本体（１０）の平面部分（１２Ｂ、１４Ｂ）同士が接合することにより、２本の箸本体（１０）間に隙間ができないから、全体がコンパクトになり、キャップ部材（３０）より出ている部分の箸本体（１０）が嵩張ることがなく、しかも、携帯時に２本の箸本体（１０）間に物が引っかかる虞がない。
【００１１】
本発明による箸は、好ましくは、前記キャップ部材（３０）は、前記箸本体（１０）を前記箸収納部（３４）に抜き差しする出入口（３６）とは当該キャップ部材（３０）の長手方向で見て反対の端部に、前記箸収納部（３４）に連通する水抜き用開口（３８）が形成されている。
【００１２】
この構成によれば、出入口（３６）より箸収納部（３４）に水を流し込んで、その水を水抜き用開口（３８）より外部に排水することができる。これにより、箸収納部（３４）の水洗いを良好に行うことができる。
【００１３】
本発明による箸は、好ましくは、前記一対の箸本体（１０）が前記キャップ部材（３０）に収納される部分には、前記結合状態で当該一対の箸本体（１０）の外周を取り囲んで連続する環状をなす突条部（２０）あるいは凹溝部（３８）が形成され、前記キャップ部材（３０）の前記箸収納部（３４）には前記箸本体（１０）の前記突条部（２０）あるいは前記凹溝部（３８）が係脱可能に嵌合する凹溝部（３８）あるいは突条部（２０）が形成されている。
【００１４】
この構成によれば、一対の箸本体（１０）の結合状態で環状となる突条部（２０）と凹溝部（３８）との係合によって、一対の箸本体１０の箸収納部（３４）よりの抜け止めが確実に行われる。
【発明の効果】
【００１５】
本発明による箸によれば、一対の箸本体は、係合部が互いに係合した結合状態で一つの棒状体として一括してキャップ部材の一つの箸収納部に抜き差しされるから、箸本体を、一本一本、箸収納部に抜き差しする従来のものより、取り出し、収納の操作が面倒なものでなくなり、取り扱い性がよくなる。また、一対の箸本体は結合状態で一つの箸収納部に一括収納されるから、従来のものよりキャップ部材を小型化できる。
【図面の簡単な説明】
【００１６】
【図１】本発明による箸の一つの実施形態の箸本体収納状態の正面図。
【図２】同箸の箸本体収納状態の左側面図。
【図３】同箸の箸本体収納状態の右側面図。
【図４】同箸の箸本体収納状態の平面図。
【図５】同箸の箸本体収納状態の底面図。
【図６】図２の線ＶＩ−ＶＩに沿った断面図。
【図７】本実施形態による箸の箸本体の結合状態の正面図。
【図８】同箸本体の結合状態の左側面図。
【図９】同箸本体の単体の右側面図。
【図１０】同箸本体の結合状態の平面図。
【図１１】同箸本体の結合状態の底面図。
【図１２】本実施形態による箸の箸本体収納状態の斜視図。
【図１３】本実施形態による箸の箸本体の箸先部分側の斜視図。
【図１４】本実施形態による箸の使用状態を示す図。
【図１５】本発明による箸の他の一つの実施形態の箸本体収納状態の正面図。
【発明を実施するための形態】
【００１７】
以下に、本発明による箸の一つの実施形態を、図１〜図１３を参照して説明する。
【００１８】
本実施形態による箸は、図１〜図６、図１２に示されているように、一対（一膳）の箸本体１０と、箸本体１０を収納するキャップ３０とにより構成されている。
【００１９】
箸本体１０は、図７〜図１１に示されているように、食品をつかむ箸先部分１２と手にて握られる箸元部分１４とを一直線上に連続して有する棒状をなし、全体を木材あるいはプラスチックあるいは金属により構成されている。
【００２０】
箸先部分１２は、先端部が半球形をしていて当該先端部より箸元部分１４の側へ向かうに従って横断面形状が円形から半円形、更に半円形から半楕円になっている（図１３参照）。箸先部分１２は、横断面形状が半円形および半楕円の部分においては、半円形・半楕円面部１２Ａと、円形、楕円の半割り面がなす平面部１２Ｂとにより構成されている。
【００２１】
箸元部分１４は、全長に亘って横断面形状が半楕円をしており、半楕円面部１４Ａと、楕円の半割り面がなす平面部１４Ｂとにより構成されている。平面部１４Ｂ平面部１４Ｂには、対をなす箸本体１０で、互い係脱可能に係合して箸本体１０同士を分離可能に結合する凹凸係合部１６、１８が形成されている。つまり、一対の箸本体１０は、互いに結合する状態で互いに接合する面が平面部１２Ｂ、１４Ｂになっていて、平面部１４Ｂに凹凸係合部１６、１８が形成されている。凹凸係合部１６、１８は、互いに係脱可能に嵌合する凹部あるいは凸部であり、例えば、互いに補形をなす半球状の凹部と半球状の凸部との組み合わせであってよい。
【００２２】
なお、箸先部分１２の半円形・半楕円面部１２Ａと箸元部分１４の半楕円面部１４Ａとの境界部には、当該境界部において半楕円面部１４Ａの外径寸法が半円形・半楕円面部１２Ａ、の外径寸法より大きいことにより、段差面部２２が存在する。これに対し、箸先部分１２の平面部１２Ｂと箸元部分１４の平面部１４Ｂとは段差がない互いに連続する一つの平面である。
【００２３】
箸先部分１２が箸元部分１４に連続する側の端部近傍（後述するキャップ部材３０の箸収納部３４に収納される部分）には、図６、図９に示されているように、一対の箸本体１０の結合状態で箸先部分１２の外周を取り囲んで連続する環状（楕円環状）をなす半円形断面の突条部２０が形成されている。突条部２０は結合状態にある一対の箸本体１０の全周に亘って存在する。
【００２４】
キャップ３０は、プラスチックあるいは金属により構成され、図１〜図６、図１２に示されているように、外部に衣服（ポケット）に対する装着用のばね性を有するクリップ部３２を有し、筆記具のキャップ相当のクリップ付きキャップ構造になっている。キャップ３０は中空構造で、一つの箸収納部３４（図６参照）を有する。箸収納部３４は、キャップ３０の一端に開口した出入口３６より結合状態の一対の箸本体１０の箸先部分１２の全体を抜き差し可能に収納する。
【００２５】
箸収納部３４の横断面形状は、出入口３６の側では、一対の箸本体１０の結合状態での箸先部分１２の箸元部分１４側の横断面形状、つまり楕円形をしており（図５参照）、キャップ３０の他端側へ向かうに従って縮小する楕円形になっている。箸収納部３４の出入口３６近傍の内周面には、図６に示されているように、突条部２０がクリップストップ式に係脱可能に嵌合する凹溝部（段差部）３８が形成されている。凹溝部３８は箸収納部３４の内周面の全周に亘って存在する。
【００２６】
キャップ部材３０の出入口３６とはキャップ部材３０の長手方向で見て反対の端部には、図４、図６に示されているように、箸収納部３４に連通する水抜き用開口４０が形成されている。水抜き用開口４０は、図示されていないが、プラグや開閉リッド等によって開閉されてもよい。
【００２７】
本実施形態によれば、一対の箸本体１０は、平面部１２Ｂ、１４Ｂ同士をその全体に亘ってぴったりと接合され、凹凸係合部１６、１８の係合によって互いに結合されて一つの棒状をなした結合状態（図７参照）で、箸元部分１２をキャップ部材３０の唯一の箸収納部３４に一括収納される。この収納状態では、一対の箸本体１０は、キャップ部材３０より外側に出ている箸元部分１４が一つの楕円棒状をなす。
【００２８】
このように、一対の箸本体１０を結合状態で一つの箸収納部３４に一括収納するから、従来のものよりキャップ部材３０を小型化できる。この収納状態では、一対の箸本体１０の平面部１４Ｂがぴったりと接合されていることから、箸本体１０のうちキャップ部材３０より外部に出ている部分、つまり、一対の箸本体１０の箸元部分１４間に隙間ができることがない。これにより、収納状態での箸全体の小型化が図られ、特にキャップ部材３０より出ている部分が嵩張ることがない。
【００２９】
しかも、一対の箸本体１０の箸元部分１４間に隙間がないことから、携帯時に２本の箸本体１０間に物が引っかかる虞がなく、箸元部分１４が一つの楕円棒状をなしていることと相まって、あたかも万年筆のような一つのキャップ付き筆記具のように取り扱うことができて携帯性がよい物になる。
【００３０】
この収納状態では、図６に示されているように、一対の箸本体１０の段差部２２がキャップ部材３０の出入口３６側の端面部４２に当接した状態で、一対の箸本体１０の結合状態の全周に亘って存在する突条部２０が凹溝部３８にクリックストップ式に嵌合していることにより、抜き差し方向のがた付きを生じることなく、箸本体１０のキャップ部材３０よりの抜け出し確実に防止され、収納状態が確実なものになる。
【００３１】
また、キャップ部材３０より外側に出ている一対の箸本体１０の箸元部分１４が凹凸係合部１６、１８によって結合されているので、携帯時にキャップ部材３０より外側に出ている一対の箸本体１０の箸元部分１４が互いにずれ動くことがない。このことにより、携帯性がよりよいものになる。
【００３２】
使用時には、キャップ部材３０と結合状態の箸本体１０の箸元部分１４とを左右の手で握って、結合状態のまま、凹溝部３８と突条部２０との嵌合を離脱させつつ、箸先部分１２を箸収納部３４より抜き出す。そして、割り箸を割る要領で、一対の箸本体１０を左右の手で握って互いに離すように動かし、凹凸係合部１６、１８の係合を離脱させる。これにより一対の箸本体１０は、互いに分離されて一膳の箸となる。箸本体１０は、平面部１２Ｂ、１４Ｂを有しているので、卓上で不用意に転がることがない。
【００３３】
この使用時には、図１４に示されているように、キャップ部材３０は、クリップ３２による転がり止め状態で、箸置きとして用いることができる。なお、図１５に示されているように、キャップ部材３０の外面の一部が箸置き用の平面部４６とされていてもよい。
【００３４】
箸本体１０をキャップ部材３０に収納する際には、一対の箸本体１０の平面部１２Ｂ、１４Ｂ同士を互いに接合して凹凸係合部１６、１８を係合させ、一対の箸本体１０が互いに結合させて一つの棒状をなす結合状態にする。この結合状態で、箸元部分１２をキャップ部材３０の出入口３６より箸収納部３４に差し込む。
【００３５】
この差し込みによって、突条部２０が、キャップ部材３０の端面部４２と凹溝部３８との間の部分４４（図６参照）を拡張方向に弾性変形させながら、当該部部４４を乗り越えることにより、一対の箸本体１０の段差部２２がキャップ部材３０の出入口３６側の端面部４２に当接すると共に、突条部２０が凹溝部３８にクリップストップ式に嵌合する。これにより、一対の箸本体１０は結合状態でキャップ部材３０の唯一の箸収納部３４に一括収納される。
【００３６】
このように、一対の箸本体１０は、結合状態で一つの棒状体としてキャップ部材３０の一つの箸収納部３４に抜き差しされるから、箸本体１０を、一本一本、箸収納部３４に抜き差しする従来のものより、その操作が面倒なものでなくなり、取り扱い性がよくなる。
【００３７】
また、キャップ部材３０には出入口３６とは反対の側の端部に水抜き用開口４０が形成されているので、キャップ部材３０の水洗い時に、出入口３６より箸収納部３４に流れ込んだ水は水抜き用開口４０より外部に排水される。これにより箸収納部３４の水洗いを良好に行うことができる。また、箸収納部３４の水掃けもよくなり、箸収納部３４の乾燥も早期に良好に行われるようになる。
【００３８】
以上、本発明を、具体的実施形態について説明したが、本発明の態様は、上記実施形態に限られるものではなく、本発明の趣旨を逸脱しない範囲であれば適宜変更可能である。例えば、箸本体１０の箸先部分１２、箸元部分１４の横断面形状は、円形や半円、半楕円に限られることはなく、半長円、四角形、六角形等の多角形であってもよい。キャップ部材３０の箸収納部３４の横断面形状は、何れの場合も結合状態の一対の箸本体１０がなす横断面形状に合った形状（同じ形状）であればよい。
【００３９】
また、箸本体１０同士を分離可能に結合する凹凸係合部１６、１８は、箸元部分１４の平面部１４Ｂでなく、箸先部分１２の平面部１２Ｂに設けられていても、その双方に設けられていてもよい。また、突条部２０がキャップ部材３０に形成され、凹溝部３８が箸本体１０に形成されていもよい。また、箸元部分１４にのみ平面部分１４Ｂが形成されていてもよい。
【００４０】
また、上記実施形態に示した構成要素は必ずしも全てが必須なものではなく、本発明の趣旨を逸脱しない限りにおいて適宜取捨選択することが可能である。
【符号の説明】
【００４１】
１０  箸本体
１２  箸先部分
１２Ｂ  平面部
１４  箸元部分
１４Ｂ  平面部
１６、１８  凹凸係合部
２０  突条部
３０  キャップ部材
３２  クリップ部
３４  箸収納部
３６  出入口
３８  凹溝部
４０  水抜き用開口
【図１】
2013009739.tif 000003
【図２】
2013009739.tif 000004
【図３】
2013009739.tif 000005
【図４】
2013009739.tif 000006
【図５】
2013009739.tif 000007
【図６】
2013009739.tif 000008
【図７】
2013009739.tif 000009
【図８】
2013009739.tif 000010
【図９】
2013009739.tif 000011
【図１０】
2013009739.tif 000012
【図１１】
2013009739.tif 000013
【図１２】
2013009739.tif 000014
【図１３】
2013009739.tif 000015
【図１４】
2013009739.tif 000016
【図１５】
2013009739.tif 000017